(57)【要約】本出願は、乾燥機能をサポートする洗濯機又は乾燥機に適用され、脱臭動作を行う脱臭モジュールに関する。本出願の実施形態に係る脱臭モジュールは、上面及び下面が開放された上部ハウジング、前記上部ハウジングと締結される下部ハウジング、前記流路の内側に位置し、前記上部ハウジングの開放された上面を介して前記上部ハウジングに収納される光触媒フィルター、前記流路の外側に位置し、前記光触媒フィルターに向かって紫外線を照射する少なくとも一つの光源、及び前記少なくとも一つの光源を実装する基板を含む光源ユニットと、前記光触媒フィルターと前記光源ユニットとの間に位置し、前記上部ハウジングの開放された下面を介して前記上部ハウジングに収納される透明部材を含む。本出願の実施形態に係る脱臭モジュールは、洗濯機又は乾燥機に設置され、脱臭動作を効果的に行うことができる。【選択図】図２
2021511136.tif 000002
【特許請求の範囲】
【請求項１】
流路に設置される脱臭モジュールにおいて、
上面及び下面が開放された上部ハウジングと、
前記上部ハウジングと締結される下部ハウジングと、
前記流路の内側に位置し、前記上部ハウジングの開放された上面を介して前記上部ハウジングに収納される光触媒フィルターと、
前記流路の外側に位置し、前記光触媒フィルターに向かって紫外線を照射する少なくとも一つの光源、及び前記少なくとも一つの光源を実装する基板を含む光源ユニットと、
前記光触媒フィルターと前記光源ユニットとの間に位置し、前記上部ハウジングの開放された下面を介して前記上部ハウジングに収納される透明部材と、を含む、脱臭モジュール。
【請求項２】
前記下部ハウジングの上面は開放されており、
前記光源ユニットは、前記下部ハウジングの開放された上面を介して前記下部ハウジングに収納される、請求項１に記載の脱臭モジュール。
【請求項３】
前記上部ハウジングは、
前記上部ハウジングの上部に突出して形成され、前記光触媒フィルターの一方の面を固定するフィルター固定部と、
前記上部ハウジングの内側面に沿って突出して形成され、前記光触媒フィルターの他面が載置されるフィルター載置部と、を含む、請求項１に記載の脱臭モジュール。
【請求項４】
前記上部ハウジングは、
前記フィルター載置部の下端に形成され、前記上部ハウジングの内部を露出させる少なくとも一つの開口部と、及び
前記少なくとも一つの開口部との間に形成された少なくとも一つのリブと、をさらに含む、請求項３に記載の脱臭モジュール。
【請求項５】
前記上部ハウジングは、
前記少なくとも一つの開口部の下端に突出して形成され、前記透明部材の一方の面と接触したスペーサーをさらに含む、請求項４に記載の脱臭モジュール。
【請求項６】
前記下部ハウジングは、
前記下部ハウジングの上端に突出し、前記透明部材の他方の面と接触したスペーサーを含む、請求項２に記載の脱臭モジュール。
【請求項７】
前記下部ハウジングは、
前記下部ハウジングの下面に突出して形成され、前記光源ユニットを固定する少なくとも一つの固定突起をさらに含む、請求項６に記載の脱臭モジュール。
【請求項８】
前記下部ハウジングは、
前記下部ハウジングの下面に形成され、前記光源ユニットの形状に対応する放熱ホールと、
前記光源ユニットに接続された電線を外部に引き出す引き出しホールと、をさらに含む、請求項７に記載の脱臭モジュール。
【請求項９】
前記流路内の空気は、前記上部ハウジングの開放された上面を介して前記光触媒フィルターの一方の面に接触し、前記少なくとも一つの開口部を介して前記光触媒フィルターの他方の面に接触する、請求項４に記載の脱臭モジュール。
【請求項１０】
前記光源ユニットに接触し、前記光源ユニットで発生した熱を外部に放出する放熱部材をさらに含む、請求項１に記載の脱臭モジュール。
【請求項１１】
前記基板は放熱基板である、請求項１に記載の脱臭モジュール。
【請求項１２】
前記流路内に配置され、前記光源ユニットから出射された光を反射する反射板をさらに含む、請求項１に記載の脱臭モジュール。
【請求項１３】
前記反射板は、前記光触媒フィルターに対して所定角度だけ傾斜して配置された、請求項１２に記載の脱臭モジュール。
【請求項１４】
前記流路内に配置され、前記光触媒フィルターに対して所定角度だけ傾斜した流路ガイドをさらに含み、
前記流路ガイドの少なくとも一方の面には反射物質がコーティングされた、請求項１に記載の脱臭モジュール。
【請求項１５】
前記流路内の空気は第１方向に流動し、
前記光触媒フィルターは、前記第１方向に垂直な第２方向に延長されるように配置された、請求項１に記載の脱臭モジュール。
【請求項１６】
前記流路内の空気は第１方向に流動し、
前記光触媒フィルターは、前記第１方向に対して所定角度だけ傾斜するように配置された、請求項１に記載の脱臭モジュール。
【請求項１７】
前記光源ユニットは、前記第１方向に対して所定角度だけ傾斜するように配置された前記光触媒フィルターに平行に配置された、請求項１６に記載の脱臭モジュール。
【請求項１８】
内部に洗濯物が投入されるドラムと、
前記ドラムの内部に供給される空気を加熱する乾燥ヒーターと、
前記乾燥ヒーターによって加熱された熱風をドラムの内部に供給する流路と、
前記乾燥ヒーターによって加熱された熱風をドラムの内部に送風する送風ファンと、
前記流路に設置され、前記熱風に対する脱臭動作を行う脱臭モジュールと、を含み、
前記脱臭モジュールは、
上面及び下面が開放された上部ハウジングと、
前記上部ハウジングと締結される下部ハウジングと、
前記流路の内側に位置し、前記上部ハウジングの開放された上面を介して前記上部ハウジングに収納される光触媒フィルターと、
前記流路の外側に位置し、前記光触媒フィルターに向かって紫外線を照射する少なくとも一つの光源、及び前記少なくとも一つの光源を実装する基板を含む光源ユニットと、
前記光触媒フィルターと前記光源ユニットとの間に位置し、前記上部ハウジングの開放された下面を介して前記上部ハウジングに収納される透明部材と、を含む、乾燥装置。
【請求項１９】
前記乾燥ヒーターと前記脱臭モジュールは同時に駆動する、請求項１８に記載の乾燥装置。
【請求項２０】
前記乾燥ヒーターの乾燥動作が完了した後で前記脱臭モジュールの脱臭動作が行われる、請求項１８に記載の乾燥装置。
【発明の詳細な説明】
【技術分野】
【０００１】
本出願は、脱臭モジュールに関し、より詳細には、乾燥機能をサポートする洗濯機又は乾燥機に適用され、脱臭動作を行う脱臭モジュールに関する。
【背景技術】
【０００２】
近年、乾燥機能をサポートする洗濯機が日常で広く使用されている。乾燥機能をサポートする洗濯機は、衣服に付着した汚染物質を水及び洗剤を用いて除去した後、水に濡れた衣類を、熱風を用いて乾燥させることによって、ユーザーが、水に濡れた衣類を洗濯機から取り出した後、物干し台で別途に乾燥させるという手間を省くことができる。
【０００３】
しかし、このような乾燥機能をサポートする洗濯機は、臭いに弱いという短所を有する。例えば、ユーザーが洗濯機を長い間掃除せず、洗濯機の内部に汚染物質が蓄積された状態で乾燥機能を作動させる場合、熱風によって活性化された臭い粒子が衣類に付着するようになる。この場合、洗濯された衣類に不快な臭いが残るという問題がある。
【発明の概要】
【発明が解決しようとする課題】
【０００４】
本出願の目的は、乾燥機能をサポートする洗濯機又は乾燥機に設置され、脱臭動作を行う脱臭モジュールを提供することにある。
【課題を解決するための手段】
【０００５】
本出願の実施形態に係る流路に設置される脱臭モジュールは、上面及び下面が開放された上部ハウジングと、前記上部ハウジングと締結される下部ハウジングと、前記流路の内側に位置し、前記上部ハウジングの開放された上面を介して前記上部ハウジングに収納される光触媒フィルターと、前記流路の外側に位置し、前記光触媒フィルターに向かって紫外線を照射する少なくとも一つの光源、及び前記少なくとも一つの光源を実装する基板を含む光源ユニットと、前記光触媒フィルターと前記光源ユニットとの間に位置し、前記上部ハウジングの開放された下面を介して前記上部ハウジングに収納される透明部材と、を含む。
【０００６】
実施形態において、前記下部ハウジングの上面は開放されており、前記光源ユニットは、前記下部ハウジングの開放された上面を介して前記下部ハウジングに収納される。
【０００７】
実施形態において、前記上部ハウジングは、前記上部ハウジングの上部に突出して形成され、前記光触媒フィルターの一方の面を固定するフィルター固定部と、前記上部ハウジングの内側面に沿って突出して形成され、前記光触媒フィルターの他方の面が載置されるフィルター載置部と、を含む。
【０００８】
実施形態において、前記上部ハウジングは、前記フィルター載置部の下端に形成され、前記上部ハウジングの内部を露出させる少なくとも一つの開口部と、前記少なくとも一つの開口部との間に形成された少なくとも一つのリブと、をさらに含む。
【０００９】
実施形態において、前記上部ハウジングは、前記少なくとも一つの開口部の下端に突出して形成され、前記透明部材の一方の面と接触したスペーサーをさらに含む。
【００１０】
実施形態において、前記下部ハウジングは、前記下部ハウジングの上端に突出して形成され、前記透明部材の他方の面と接触したスペーサーを含む。
【００１１】
実施形態において、前記下部ハウジングは、前記下部ハウジングの下面に突出して形成され、前記光源ユニットを固定する少なくとも一つの固定突起をさらに含む。
【００１２】
実施形態において、前記下部ハウジングは、前記下部ハウジングの下面に形成され、前記光源ユニットの形状に対応する放熱ホールと、前記光源ユニットに接続された電線を外部に引き出す引き出しホールと、をさらに含む。
【００１３】
実施形態において、前記流路内の空気は、前記上部ハウジングの開放された上面を介して前記光触媒フィルターの一方の面に接触し、前記少なくとも一つの開口部を介して前記光触媒フィルターの他方の面に接触する。
【００１４】
実施形態において、前記光源ユニットに接触し、前記光源ユニットで発生した熱を外部に放出する放熱部材をさらに含む。
【００１５】
実施形態において、前記基板は放熱基板である。
【００１６】
実施形態において、前記流路内に配置され、前記光源ユニットから出射された光を反射する反射板をさらに含む。
【００１７】
実施形態において、前記反射板は、前記光触媒フィルターに対して所定角度だけ傾斜して配置される。
【００１８】
実施形態において、前記流路内に配置され、前記光触媒フィルターに対して所定角度だけ傾斜した流路ガイドをさらに含み、前記流路ガイドの少なくとも一方の面には反射物質がコーティングされる。
【００１９】
実施形態において、前記流路内の空気は第１方向に流動し、前記光触媒フィルターは、前記第１方向に垂直な第２方向に延長されるように配置される。
【００２０】
実施形態において、前記流路内の空気は第１方向に流動し、前記光触媒フィルターは、前記第１方向に対して所定角度だけ傾斜するように配置される。
【００２１】
実施形態において、前記光源ユニットは、前記第１方向に対して所定角度だけ傾斜するように配置された前記光触媒フィルターに平行に配置される。
【００２２】
本出願の実施形態に係る乾燥装置は、内部に洗濯物が投入されるドラムと、前記ドラムの内部に供給される空気を加熱する乾燥ヒーターと、前記乾燥ヒーターによって加熱された熱風をドラムの内部に供給する流路と、前記乾燥ヒーターによって加熱された熱風をドラムの内部に送風する送風ファンと、前記流路に設置され、前記熱風に対する脱臭動作を行う脱臭モジュールと、を含み、前記脱臭モジュールは、上面及び下面が開放された上部ハウジングと、前記上部ハウジングと締結される下部ハウジングと、前記流路の内側に位置し、前記上部ハウジングの開放された上面を介して前記上部ハウジングに収納される光触媒フィルターと、前記流路の外側に位置し、前記光触媒フィルターに向かって紫外線を照射する少なくとも一つの光源、及び前記少なくとも一つの光源を実装する基板を含む光源ユニットと、前記光触媒フィルターと前記光源ユニットとの間に位置し、前記上部ハウジングの開放された下面を介して前記上部ハウジングに収納される透明部材と、を含む。
【００２３】
実施形態において、前記乾燥ヒーターと前記脱臭モジュールは同時に駆動する。
【００２４】
実施形態において、前記乾燥ヒーターの乾燥動作が完了した後で前記脱臭モジュールの脱臭動作が行われる。
【発明の効果】
【００２５】
本出願の実施形態に係る脱臭モジュールは、洗濯機又は乾燥機に設置され、脱臭動作を行うことができる。
【図面の簡単な説明】
【００２６】
【図１】本出願の実施形態に係る脱臭モジュールが流路に設置された状態を簡略に示す図である。
【図２】それぞれ脱臭モジュール１００の全体的な状態を示す斜視図である。
【図３】それぞれ脱臭モジュール１００の全体的な状態を示す分解斜視図である。
【図４】図２の切取線に沿って切断された状態を示す断面図である。
【図５】図３の光触媒フィルターの形状を示す正面図である。
【図６ａ】図３の光触媒フィルターの他の実施形態を示す正面図である。
【図６ｂ】図３の光触媒フィルターの他の実施形態を示す正面図である。
【図６ｃ】図３の光触媒フィルターの他の実施形態を示す正面図である。
【図７】図３の上部ハウジングをさらに詳細に示す斜視図である。
【図８】図３の下部ハウジングをさらに詳細に示す斜視図である。
【図９】基板に光源が装着された状態をさらに詳細に示す図である。
【図１０ａ】光源の構造をさらに詳細に示す断面図である。
【図１０ｂ】光源の構造をさらに詳細に示す断面図である。
【図１１】本出願の他の実施形態に係る脱臭モジュールを示す側面図である。
【図１２】図１１の脱臭モジュールが流路に設置された状態を示す断面図である。
【図１３ａ】放熱部材を備えた脱臭モジュールの一例を示す図である。
【図１３ｂ】放熱基板を備えた脱臭モジュールの一例を示す図である。
【図１４】本出願の他の実施形態に係る脱臭モジュールを示す図である。
【図１５】本出願の他の実施形態に係る脱臭モジュールを示す図である。
【図１６ａ】本出願の他の実施形態に係る脱臭モジュールを示す図である。
【図１６ｂ】本出願の他の実施形態に係る脱臭モジュールを示す図である。
【図１６ｃ】本出願の他の実施形態に係る脱臭モジュールを示す図である。
【図１６ｄ】本出願の他の実施形態に係る脱臭モジュールを示す図である。
【図１７】本出願の実施形態に係る脱臭モジュールが洗濯機に設置された一例を簡略に示す断面図である。
【図１８】本出願の実施形態に係る脱臭モジュールの効果を示す実験結果である。
【発明を実施するための形態】
【００２７】
本発明は、多様な変更を加えることができ、様々な形態を有し得るので、特定の実施形態を図面に例示し、これを本文で詳細に説明する。しかし、これは、本発明を特定の開示形態に対して限定しようとするものではなく、本発明の思想及び技術範囲に含まれる全ての変更、均等物及び代替物を含むものと理解されるべきである。
【００２８】
各図面を説明しながら、類似する参照符号を類似する構成要素に対して使用した。添付の図面において、各構造物の寸法は、本発明の明確性のために実際よりも拡大して示したものである。「第１」及び「第２」などの用語は、多様な構成要素の説明に使用可能であるが、前記各構成要素は、前記各用語によって限定してはならない。前記各用語は、一つの構成要素を他の構成要素から区別する目的でのみ使用される。例えば、本発明の権利範囲を逸脱しない限り、第１構成要素は第２構成要素と命名することができ、これと同様に、第２構成要素も第１構成要素と命名することができる。単数の表現は、文脈上、明白に異なる意味を有さない限り、複数の表現を含む。
【００２９】
本出願において、「含む」又は「有する」などの用語は、明細書上に記載した特徴、数字、段階、動作、構成要素、部品又はこれらの組み合わせの存在を指定しようとするものであって、一つ又はそれ以上の他の特徴、数字、段階、動作、構成要素、部品又はこれらの組み合わせなどの存在又は付加可能性を予め排除しないものと理解されるべきである。
【００３０】
以下、添付の各図面を参照して本発明の好ましい実施形態をより詳細に説明する。
【００３１】
図１は、本出願の実施形態に係る脱臭モジュール１００が流路１０に設置された状態を簡略に示す図である。
【００３２】
本出願の実施形態に係る脱臭モジュール１００は、乾燥機能を提供する洗濯機又は乾燥機の流路１０に設置され、乾燥動作時に熱風によって溶け出された臭い粒子を、光触媒反応を通じて効果的に除去することができる。
【００３３】
図１を参照すると、脱臭モジュール１００は、光触媒フィルター１１０及び光源ユニット１４０を含む。
【００３４】
光触媒フィルター１１０は流路１０の内側に位置し、光触媒フィルター１１０には光触媒物質がコーティング又は吸着されている。光触媒フィルター１１０は、流路１０に沿って流れる空気の進行方向に平行になるように配置され、その結果、空気は、光触媒フィルター１１０と広い面積にわたって接触し得る。
【００３５】
光源ユニット１４０は、流路１０の外側に位置し、光触媒フィルター１１０に向かって光を照射する。例えば、光源ユニット１４０は、紫外線波長帯域の光を出射することができ、この場合、紫外線を出射する光源としてはＬＥＤ（ｌｉｇｈｔ  ｅｍｉｔｔｉｎｇ  ｄｉｏｄｅ）発光素子が使用可能である。
【００３６】
本出願の実施形態において、光触媒フィルター１１０の光触媒物質は、光源ユニット１４０から照射される紫外線によって触媒反応を起こすことによって、光触媒と接触する空気内の各種汚染物質、特に臭い粒子を酸化及び還元して分解させることができる。
【００３７】
より詳細に説明すると、一般的な洗濯機又は乾燥機で乾燥動作が行われる場合、熱風によって洗濯機又は乾燥機内の汚染物質から臭い粒子が溶け出し、このような活性化された臭い粒子が衣類に付着し、乾燥動作が完了した衣類に不快な臭いが残留する可能性がある。本出願の実施形態に係る脱臭モジュール１００は、乾燥動作時に熱風によって活性化された臭い粒子を除去することによって、洗濯された衣類に不快な臭いが残留することを効果的に防止することができる。
【００３８】
また、本出願の実施形態に係る脱臭モジュール１００は、流路１０の内側に光触媒フィルター１１０を位置させ、流路１０の外側に光源ユニット１４０を位置させる。これにより、流路１０に沿って流れる空気に含まれた水分子が光源ユニット１４０に浸透することを抑制できるだけでなく、高温の気流によって光源ユニット１４０が損傷することが防止され得る。
【００３９】
一方、本出願の実施形態に係る脱臭モジュール１００は、透明部材１３０をさらに備えてもよい。透明部材１３０は、光源ユニット１４０から出射される光を透過する材質で形成される。透明部材１３０は、光源ユニット１４０と光触媒フィルター１１０との間に位置し、光源ユニット１４０と光触媒フィルター１１０とを互いに遮断する。これにより、流路１０に沿って流れる高温の気流及び水分子が光触媒フィルター１１０を介して光源ユニット１４０に浸透することを遮断し、光源ユニット１４０が保護され得る。
【００４０】
図２〜図４は、図１の脱臭モジュール１００をさらに詳細に示す図である。具体的に、図２及び図３は、それぞれ脱臭モジュール１００の全体的な状態を示す斜視図及び分解斜視図で、図４は、図２の切取線（Ｉ−Ｉ’）に沿って切断された状態を示す断面図である。
【００４１】
図２〜図４を参照すると、脱臭モジュール１００は、光触媒フィルター１１０、上部ハウジング１２０、透明部材１３０、光源ユニット１４０及び下部ハウジング１５０を含む。
【００４２】
光触媒フィルター１１０は、光触媒物質がコーティング又は吸着し得る材質で形成されてもよい。例えば、光触媒フィルター１１０は、多孔性のセラミック材質で形成されてもよい。他の例として、光触媒フィルター１１０は、紙材質、布材質及び／又はプラスチック材質で形成されてもよい。他の例として、光触媒フィルター１１０は、ニッケル（Ｎｉ）、鉄（Ｆｅ）、アルミニウム（Ａｌ）、クロム（Ｃｒ）、ステンレスなどを含む金属フォーム（ｆｏａｍ）材質で形成されてもよい。
【００４３】
光触媒フィルター１１０の表面は光触媒物質でコーティングされてもよい。光触媒フィルター１１０の光触媒物質は、光源ユニット１４０から照射される紫外線によって触媒反応を起こすことによって、光触媒と接触する空気内の各種汚染物質及び臭い粒子などを酸化及び還元して分解させる。
【００４４】
より詳細に説明すると、光触媒は、バンドギャップ（ｂａｎｄ  ｇａｐ）エネルギー以上の光に露出されると、電子及び正孔が生成される触媒反応を起こす。これにより、空気内の化合物、例えば、水や有機物質が分解され、水酸基ラジカル（Ｈｙｄｒｏｘｙ  Ｒａｄｉｃａｌ）が形成され得る。水酸基ラジカルは、酸化力が非常に強い物質であって、空気内の汚染物質を分解したり、細菌を殺菌したりする。このような光触媒物質としては、酸化チタン（ＴｉＯ２）、酸化亜鉛（ＺｎＯ）、酸化スズ（ＳｎＯ２）などを挙げることができる。
【００４５】
光触媒の表面で生成された正孔と電子は、再結合速度が非常に速いので、光化学反応に用いる際に限界を有する。よって、Ｐｔ、Ｎｉ、Ｍｎ、Ａｇ、Ｗ、Ｃｒ、Ｍｏ、Ｚｎなどの金属又はそれらの酸化物を添加し、正孔と電子の再結合速度を遅延させることができる。正孔と電子の再結合速度が遅延される場合、酸化及び／又は分解させようとする対象物質との接触可能性が増加し、その結果、反応度が高くなり得る。また、光触媒物質のバンドギャップを制御することによって、光触媒の改善された活性も図ることができる。上述した光触媒反応を用いると、空気の殺菌、浄化、脱臭処理などを行うことができる。
【００４６】
上部ハウジング１２０は、第１方向Ｄ１から見ると、上面及び下面が開放され、側面の一部が開放された構造を有する。上部ハウジング１２０は、脱臭モジュール１００の外観を形成する。また、上部ハウジング１２０は、光触媒フィルター１１０及び透明部材１３０が設置されるための空間が設けられる。
【００４７】
透明部材１３０は、上部ハウジング１２０に収納され、上部ハウジング１２０に対応する形状を有する。例えば、図２〜図４に示したように、透明部材１３０が載置される上部ハウジング１２０の下面が四角形の開口部の形状である場合、透明部材１３０は、上部ハウジング１２０の下面の形状と同一に四角形状に形成されてもよい。但し、これは例示的なものであって、透明部材１３０の形状は、上部ハウジング１２０の形状に応じて多様に変形可能である。
【００４８】
透明部材１３０は、光触媒フィルター１１０と光源ユニット１４０との間に配置され、光触媒フィルター１１０と光源ユニット１４０とを互いに遮断する。例えば、図１に示したように、光触媒フィルター１１０が流路１０内に位置する場合、光触媒フィルター１１０を介して高温の気流及び／又は水分子が光源ユニット１４０に浸透し得る。光触媒フィルター１１０を介して高温の気流及び／又は水分子が光源ユニット１４０に浸透することを防止するために、透明部材１３０は、光触媒フィルター１１０と光源ユニット１４０との間に配置されてもよく、その結果、光触媒フィルター１１０と光源ユニット１４０とが互いに遮断される。
【００４９】
続いて、図２〜図４を参照すると、光源ユニット１４０は、下部ハウジング１５０内に配置され、光触媒フィルター１１０に向かって光を照射する。光源ユニット１４０から出射される光の波長帯域は、光触媒フィルター１１０に提供される光触媒物質に応じて変わり得る。
【００５０】
光源ユニット１４０は、光触媒物質によって波長帯域のうち一部のみを出射することができる。例えば、光源ユニット１４０は、紫外線波長帯域の光を出射することができ、この場合、光源ユニット１４０は、約１００ｎｍ〜約４２０ｎｍの波長帯域の光を出射することができる。但し、これは例示的なものであって、光源ユニット１４０から出射される光の波長帯域を特に限定するのではない。
【００５１】
光を出射するために、光源ユニット１４０は、光を出射する少なくとも一つの光源を含んでもよい。光源は、光触媒物質と反応する波長帯域の光を出射するものであればさほど限定されない。例えば、光源ユニット１４０が紫外線波長帯域の光を出射する場合、紫外線を出射する多様な光源が使用可能である。紫外線を出射する光源としては、代表的にＬＥＤ（ｌｉｇｈｔ  ｅｍｉｔｔｉｎｇ  ｄｉｏｄｅ）発光素子が使用可能である。光源ユニット１４０がそれ以外の波長帯域の光を出射する場合、公知の他の光源が使用可能であることは当然である。
【００５２】
下部ハウジング１５０は、第１方向Ｄ１から見たとき、上面が開放され、下面にはホールが形成された構造を有する。下部ハウジング１５０は、上部ハウジング１２０と共に脱臭モジュール１００の外観を形成する。また、下部ハウジング１５０は、光源ユニット１４０が収納される空間が設けられる。
【００５３】
図５及び図６は、図３の光触媒フィルター１１０をさらに詳細に示す図である。具体的に、図５は、図３の光触媒フィルター１１０の形状を示す正面図で、図６は、図３の光触媒フィルター１１０の他の実施形態を示す正面図である。
【００５４】
まず、図５を参照すると、光触媒フィルター１１０は、複数の貫通ホール１１１を有するように形成されてもよい。この場合、複数の貫通ホール１１１のそれぞれは、図５に示したように、四角形の開口部の形態で形成されてもよい。また、複数の貫通ホール１１１は、格子構造のように規則的な配置を有するように形成されてもよい。但し、これは例示的なものであって、光触媒フィルター１１０の形状、大きさ、構造及び配置は多様に変更可能である。
【００５５】
例えば、図６ａに示したように、光触媒フィルター１１０＿１の各貫通ホール１１１＿１は、円形の開口部の形態で形成されてもよい。この場合、各貫通ホール１１１＿１は、円形の周囲に沿って外部圧力を均一に分散させるので、剛性が良好になるという長所を有する。
【００５６】
一方、各貫通ホール１１１＿１が円形の開口部の形態で形成された場合、同一の面積に可能な限り多くの貫通ホール１１１＿１を形成することによって空気との接触面積を最大化するために、円形の各貫通ホール１１１＿１は、図示したように、ジグザグ状に配置されてもよい。但し、これは例示的なものであって、円形の各貫通ホール１１１＿１は、格子構造又は並列構造のように規則的に配置されてもよい。
【００５７】
他の例として、図６ｂ及び図６ｃに示したように、光触媒フィルター１１０＿２、１１０＿３は、複数のビーズを焼結して形成されてもよい。この場合、光触媒フィルター１１０＿２、１１０＿３の焼結された各ビーズ間には各ポア１１１＿２〜１１１＿４が位置してもよい。
【００５８】
空気は、各ポア１１１＿２〜１１１＿４を介して光触媒フィルター１１０＿２、１１０＿３の一側から他側に流動し得る。各ポア１１１＿２〜１１１＿４の密度によって空気と光触媒フィルター１１０＿２、１１０＿３との接触面積が調節され得る。このために、光触媒フィルター１１０＿２、１１０＿３を形成する各ビーズの大きさ及び焼結工程での条件が調節可能であり、その結果、各ポア１１１＿２〜１１１＿４は多様な大きさ及び分布を有し得る。
【００５９】
すなわち、各ポア１１１＿２〜１１１＿４の大きさに対する配置は、空気の移動速度、光触媒との反応性などを考慮して多様な方式で設定可能である。例えば、後述する図１６ａのように、空気が光触媒フィルター１１０を垂直に貫通して流動する場合、空気が留まる時間を増加させるために、各ポア１１１＿２〜１１１＿４の大きさ及び密度を順次減少させることができる。
【００６０】
一方、図６は、説明の便宜上、各ポアのうち一部に対してのみ示しており、その形態も球形として示した。しかし、実際の各ポアは、図示したものより高い密度で設けられてもよく、各ポアごとに大きさや形状の差があってもよい。
【００６１】
図７は、図３の上部ハウジング１２０をさらに詳細に示す斜視図である。
【００６２】
図７を参照すると、上部ハウジング１２０は、第１胴体部１２１と第２胴体部１２２とに区分されてもよい。
【００６３】
第１胴体部１２１は、第１方向Ｄ１から見たとき、上面及び下面が開放された構造を有する。第１胴体部１２１の開放された上面を介して光触媒フィルター１１０が収納され得る。第１胴体部１２１には、フィルター固定部１２１＿１、フィルター載置部１２１＿２、フィルター把持溝１２１＿３、開口部１２１＿４、リブ１２１＿５などが形成されている。
【００６４】
フィルター固定部１２１＿１は、第１胴体部１２１に収納された光触媒フィルター１１０が外部に脱出しないように固定させる役割をする。フィルター固定部１２１＿１は、第１胴体部１２１の両側面に互いに対向して形成され、第１方向Ｄ１及び第３方向Ｄ３に沿って突出したフック状に形成される。但し、これは例示的なものであって、光触媒フィルター１１０を安定的に固定できるものであれば、フィルター固定部１２１＿１の形状は特に制限されない。
【００６５】
フィルター載置部１２１＿２は、第１胴体部１２１に収納された光触媒フィルター１１０を支持する支持台としての役割をする。フィルター載置部１２１＿２は、第１胴体部１２１の内側面の周囲に沿って形成される。但し、これは例示的なものであって、光触媒フィルター１１０を安定的に支持できるものであれば、フィルター載置部１２１＿２の形状は特に制限されない。
【００６６】
フィルター把持溝１２１＿３は、光触媒フィルター１１０を装着又は交替するときに容易に把持できるように、第１胴体部１２１に収納された光触媒フィルター１１０の一部を外部に露出させる。フィルター把持溝１２１＿３は、例えば、第１胴体部１２１の両側面に互いに対向して形成されてもよい。
【００６７】
開口部１２１＿４は、第１胴体部１２１の下端、より具体的には、フィルター載置部１２１＿２の下端に互いに対向して形成される。図２に示したように、光触媒フィルター１１０が収納された場合にも、開口部１２１＿４は、光触媒フィルター１１０によって遮断されておらず、第２方向Ｄ２に貫通した構造を有する。
【００６８】
一方、リブ１２１＿５は、開口部１２１＿４内に形成され、第１胴体部１２１を支持する役割をする。図７には、３個のリブ１２１＿５が形成された様子が示されているが、第１胴体部１２１を安定的に支持できる限り、リブ１２１＿５の個数は特に制限されない。
【００６９】
続いて、図７を参照すると、第２胴体部１２２は、第１方向Ｄ１から見たとき、上面及び下面が開放された構造を有する。第２胴体部１２２の開放された下面を介して透明部材１３０が収納され得る。
【００７０】
第２胴体部１２２の第２方向Ｄ２及び第３方向Ｄ３への長さは、第１胴体部１２１より長くなるように形成されてもよい。これにより、第２胴体部１２２に挿入される透明部材１３０の第２方向Ｄ２及び第３方向Ｄ３への長さは、第１胴体部１２１に挿入される光触媒フィルター１１０より長くてもよい。よって、第２胴体部１２２に収納される透明部材１３０の大きさは、第１胴体部１２１に収納される光触媒フィルター１１０より大きくてもよく、その結果、水分子が光触媒フィルター１１０を介して光源ユニット１４０に浸透することをさらに完璧に遮断することができる。
【００７１】
第２胴体部１２２には、スペーサー１２２＿１、ハウジング締結部１２２＿２及び流路締結部１２２＿３が形成されている。
【００７２】
スペーサー１２２＿１は、段部から第１方向Ｄ１に突出して形成される。第２胴体部１２２の下面を介して収納された透明部材１３０はスペーサー１２２＿１と接触し、透明部材１３０は、スペーサー１２２＿１によって段部から一定距離だけ離隔する。
【００７３】
ハウジング締結部１２２＿２は、第１方向Ｄ１に延長されて形成され、上部ハウジング１２０と下部ハウジング１５０とを互いに締結する役割をする。例えば、図７に示したように、ハウジング締結部１２２＿２は、第２胴体部１２２の両側面で互いに対向して形成されてもよい。また、ハウジング締結部１２２＿２は、例えば、その中央に締結ホールを含むように形成されてもよい。
【００７４】
流路締結部１２２＿３は、第２方向Ｄ２に突出した構造で形成される。例えば、図７に示したように、流路締結部１２２＿３は、第２胴体部１２２の両側面で互いに対向して形成されてもよい。
【００７５】
図８は、図３の下部ハウジング１５０をさらに詳細に示す斜視図である。
【００７６】
図８を参照すると、下部ハウジング１５０は、上面が開放された第３胴体部１５１を含み、第３胴体部１５１には、開放された上面を介して光源ユニット１４０が収納される。第３胴体部１５１には、段部１５２、スペーサー１５３、固定突起１５４、基板固定部１５５、放熱ホール１５６、引き出しホール１５７及びハウジング締結突起１５８が形成されている。
【００７７】
スペーサー１５３は、第１方向Ｄ１に突出して形成される。スペーサー１５３は、上部ハウジング１２０のスペーサー１２２＿１と共に透明部材１３０に接触する。下部ハウジング１５０と上部ハウジング１２０とを締結する場合、下部ハウジング１５０のスペーサー１５３と上部ハウジング１２０のスペーサー１２２＿１とが互いに向かい合った状態で透明部材１３０に向かって互いに圧力を加えるようになり、その結果、透明部材１３０は安定的に固定されるようになる。
【００７８】
固定突起１５４は、第１方向Ｄ１に突出して形成され、光源ユニット１４０の固定溝１４４（図９参照）に対応する形態を有するように形成される。固定突起１５４が光源ユニット１４０の固定溝１４４に結合されることによって、光源ユニット１４０が下部ハウジング１５０に安定的に固定され得る。
【００７９】
一方、図７には、固定突起１５４が２個形成された様子が示されている。但し、これは例示的なものであって、光源ユニット１４０を安定的に固定させることができれば、固定突起１５４の個数は特に制限されない。
【００８０】
基板固定部１５５は、第１方向Ｄ１及び第２方向Ｄ２に突出して形成される。基板固定部１５５は、光源ユニット１４０の基板１４１（図９参照）を固定させる役割をする。図７には、基板固定部１５５が２個形成されたことが示されているが、光源ユニット１４０の基板１４１を安定的に固定できる限り、基板固定部１５５の個数は特に制限されない。
【００８１】
放熱ホール１５６は、脱臭モジュール１００の動作時に光源ユニット１４０で発生した熱が外部に放出される通路としての役割をする。放熱ホール１５６は、第１方向から見たとき、下部ハウジング１５０の下面が開口された形態で形成される。放熱ホール１５６は、例えば、光源ユニット１４０の基板１４１に対応する位置に形成されてもよく、基板１４１に対応する形態を有してもよい。但し、これは例示的なものであって、光源ユニット１４０で発生した熱を外部に放出できる限り、放熱ホール１５６の形態及び形成位置は特に制限されない。
【００８２】
引き出しホール１５７は、光源ユニット１４０のコネクター１４３に接続された電線を外部に引き出す通路としての役割をする。引き出しホール１５７は、例えば、第１方向から見たとき、下部ハウジング１５０の下面が開口された形態で形成されてもよいが、これに限定されない。
【００８３】
ハウジング締結突起１５８は、第３方向Ｄ３に突出して形成される。ハウジング締結突起１５８は、上部ハウジング１２０のハウジング締結部１２２＿２と結合され、下部ハウジング１５０と上部ハウジング１２０とを互いに締結する。
【００８４】
図９〜図１０は、光源ユニット１４０をさらに詳細に説明するための図である。具体的に、図９は、基板１４１に光源１４２が装着された状態をさらに詳細に示す図で、図１０ａ及び図１０ｂは、光源１４２の構造をさらに詳細に示す断面図である。
【００８５】
まず、図９を参照すると、光源ユニット１４０は、基板１４１、光源１４２、コネクター１４３、固定溝１４４及び放熱ホール１４５を含む。
【００８６】
基板１４１の上面には光源１４２が実装される。基板１４１の一側には、光源１４２に電源を供給するためのコネクター１４３が形成される。基板１４１の両側には、基板１４１を下部ハウジング１５０に固定させるときに固定突起１５４（図８参照）を通過させるための固定溝１４４が形成される。
【００８７】
基板１４１の中央には、熱を外部に放出するための放熱ホール１４５が形成される。基板１４１は、例えば、放熱基板であってもよいが、これに限定されるのではない。他の例として、基板１４１はプリント回路基板であってもよい。
【００８８】
光源１４２は、基板１４１の上面に実装され、光触媒フィルター１１０に向かって光を放出する。図９には、例示的に、基板１４１の上面に三つの光源１４２が実装されることが示されているが、光源１４２の個数はこれに限定されない。例えば、基板１４１の上面には一つの光源が実装されてもよい。
【００８９】
光源ユニット１４０が複数の光源１４２を含む場合、各光源は、同一の波長帯域の光を出射したり、互いに異なる波長帯域の光を出射することができる。例えば、各光源は、全ての紫外線波長帯域の光を出射することができる。他の例として、一部の光源は、紫外線波長帯域のうち一部を出射し、残りの光源は、紫外線波長帯域のうち他の波長帯域の一部を出射することができる。
【００９０】
各光源が互いに異なる波長帯域を有する場合、各光源は、多様な順序で配列され得る。例えば、第１波長帯域の光を出射する光源を第１光源とし、第１波長帯域と異なる第２波長帯域の光を出射する光源を第２光源としたとき、第１光源と第２光源とが交互に配列されてもよい。
【００９１】
一方、図９には、光源１４２が、内部のチップを保護するレンズを含むものとして示されている。但し、これは例示的なものであって、本出願の技術的思想はこれに限定されない。例えば、光源１４２は、レンズを備えなくてもよく、他の例として、基板１４１に実装された複数の光源１４２のうち一部はレンズを備えて、他の一部はレンズを備えなくてもよい。
【００９２】
図１０ａには、本出願の一実施形態に係る光源１４２に使用されるチップの断面が示されており、図１０ｂには、図１０の切取線Ａ−Ｂ−Ｂ’−Ａ’に沿って切り取られた断面図が示されている。図１０ａ及び図１０ｂを参照すると、本出願の一実施形態に係る光源１４２は、第１導電型半導体層１１１１、活性層１１１２及び第２導電型半導体層１１１３を含むメサＭ、第１絶縁層１１３０、第１電極１１４０、及び第２絶縁層１１５０を含んでもよく、さらに、成長基板１１１０及び第２電極１１２０を含んでもよい。
【００９３】
成長基板１１１０は、第１導電型半導体層１１１１、活性層１１１２、及び第２導電型半導体層１１１３を成長できる基板であれば限定されなく、例えば、サファイア基板、シリコンカーバイド基板、窒化ガリウム基板、窒化アルミニウム基板、シリコン基板などであってもよい。成長基板１１１０の側面は傾斜面を含んでもよく、その結果、活性層１１１２で生成された光の抽出が改善され得る。
【００９４】
第２導電型半導体層１１１３は、第１導電型半導体層１１１１上に配置されてもよく、活性層１１１２は、第１導電型半導体層１１１１と第２導電型半導体層１１１３との間に配置されてもよい。第１導電型半導体層１１１１、活性層１１１２、及び第２導電型半導体層１１１３はＩＩＩ−Ｖ系化合物半導体を含んでもよく、例えば、（Ａｌ，Ｇａ，Ｉｎ）Ｎなどの窒化物系半導体を含んでもよい。第１導電型半導体層１１１１はｎ型不純物（例えば、Ｓｉ）を含んでもよく、第２導電型半導体層１１１３はｐ型不純物（例えば、Ｍｇ）を含んでもよい。また、その反対であってもよい。活性層１１１２は、多重量子井戸構造（ＭＱＭ）を含んでもよい。光源１４２に順方向バイアスが加えられると、活性層１１１２で電子と正孔とが結合されながら光を放出するようになる。第１導電型半導体層１１１１、活性層１１１２、及び第２導電型半導体層１１１３は、金属有機化学気相蒸着（ＭＯＣＶＤ）又は分子線エピタキシー（ＭＢＥ）などの技術を用いて成長基板１１１０上に成長されてもよい。
【００９５】
光源１４２は、活性層１１１２及び第２導電型半導体層１１１３を含む少なくとも一つのメサＭを含んでもよい。メサＭは、複数の突出部を含んでもよく、複数の突出部は互いに離隔してもよい。これに限定されることなく、光源１４２は、互いに離隔した複数のメサＭを含んでもよい。メサＭの側面は、フォトレジストリフローなどの技術を用いて傾斜するように形成されてもよく、傾斜したメサＭの側面は、活性層１１１２で生成された発光効率を向上させることができる。
【００９６】
第１導電型半導体層１１１１は、メサＭを介して露出する第１コンタクト領域Ｒ１及び第２コンタクト領域Ｒ２を含んでもよい。メサＭは、第１導電型半導体層１１１１上に配置された活性層１１１２及び第２導電型半導体層１１１３を除去して形成するので、メサＭを除いた部分は、第１導電型半導体層１１１１の露出した上面であるコンタクト領域になる。第１電極１１４０は、第１コンタクト領域Ｒ１及び第２コンタクト領域Ｒ２と接することによって第１導電型半導体層１１１１と電気的に接続され得る。第１コンタクト領域Ｒ１は、第１導電型半導体層１１１１の外郭に沿ってメサＭの周囲に配置されてもよく、具体的には、メサＭと光源１４２の側面との間で第１導電型半導体層の上面外郭に沿って配置されてもよい。第２コンタクト領域Ｒ２は、メサＭによって少なくとも部分的に取り囲まれてもよい。
【００９７】
第２コンタクト領域Ｒ２の長軸方向の長さは、光源１４２の一辺の長さの０．５倍以上であってもよい。この場合、第１電極１１４０と第１導電型半導体層１１１１とが接する領域が増加し得るので、第１電極１１４０から第１導電型半導体層１１１１に流れる電流がさらに効果的に分散可能であり、その結果、順方向電圧がさらに減少し得る。
【００９８】
第２電極１１２０は、第２導電型半導体層１１１３上に配置され、第２導電型半導体層１１１３と電気的に接続され得る。第２電極１１２０は、メサＭ上に形成され、メサＭの形状に沿って同一の形状を有してもよい。第２電極１１２０は、反射金属層１１２１を含み、さらに、障壁金属層１１２２を含んでもよく、障壁金属層１１２２は、反射金属層１１２１の上面及び側面を覆うことができる。例えば、反射金属層１１２１のパターンを形成し、その上に障壁金属層１１２２を形成することによって、障壁金属層１１２２が反射金属層１１２１の上面及び側面を覆うように形成されてもよい。例えば、反射金属層１１２１は、Ａｇ、Ａｇ合金、Ｎｉ／Ａｇ、ＮｉＺｎ／Ａｇ、ＴｉＯ／Ａｇ層を蒸着及びパターニングして形成されてもよい。
【００９９】
一方、障壁金属層１１２２は、Ｎｉ、Ｃｒ、Ｔｉ、Ｐｔ、Ａｕ又はその複合層で形成されてもよく、具体的には、第２導電型半導体層１１１３の上面に順次Ｎｉ／Ａｇ／［Ｎｉ／Ｔｉ］２／Ａｕ／Ｔｉで形成された複合層であってもよく、さらに具体的には、第２電極１１２０の上面の少なくとも一部は３００Å厚のＴｉ層を含んでもよい。第２電極１１２０の上面のうち第１絶縁層と接する領域がＴｉ層からなる場合、第１絶縁層１１３０と第２電極１１２０との接着力が改善され、光源１４２の信頼性が改善され得る。
【０１００】
第２電極１１２０上に電極保護層１１６０が配置されてもよく、電極保護層１１６０は、第１電極１１４０と同一の材料であってもよいが、これに限定されるものではない。
【０１０１】
第１絶縁層１１３０は、第１電極１１４０とメサＭとの間に配置されてもよい。第１絶縁層１１３０を介して、第１電極１１４０とメサＭとが絶縁されてもよく、第１電極１１４０と第２電極１１２０とが絶縁されてもよい。第１絶縁層１１３０は、第１コンタクト領域Ｒ１及び第２コンタクト領域Ｒ２を部分的に露出させることができる。具体的に、第１絶縁層１１３０は、開口部１１３０ａを介して第２コンタクト領域Ｒ２の一部を露出させることができ、第１絶縁層１１３０が第１導電型半導体層１１１１の外郭とメサＭとの間で第１コンタクト領域Ｒ１の一部の領域のみを覆い、第１コンタクト領域Ｒ１の少なくとも一部が露出してもよい。
【０１０２】
第１絶縁層１１３０が第２コンタクト領域Ｒ２上で第２コンタクト領域Ｒ２の外郭に沿って配置されてもよい。これと同時に、第１絶縁層１１３０は、第１コンタクト領域Ｒ１と第１電極１１４０とが接する領域よりメサＭに隣接するように限定されて配置されてもよい。
【０１０３】
第１絶縁層１１３０は、第２電極１１２０を露出させる開口部１１３０ｂを有してもよい。開口部１１３０ｂを介して、第２電極１１２０はパッド又はバンプなどと電気的に接続され得る。
【０１０４】
第１コンタクト領域Ｒ１と第１電極１１４０とが接する領域が第１導電型半導体層の上面の全外郭に沿って配置される。具体的に、第１コンタクト領域Ｒ１と第１電極１１４０とが接する領域は、第１導電型半導体層１１１１の四つの側面と全て隣接するように配置されてもよく、メサＭを完全に取り囲んでもよい。この場合、第１電極１１４０と第１導電型半導体層１１１１とが接する領域が増加し得るので、第１電極１１４０から第１導電型半導体層１１１１に流れる電流がさらに効果的に分散可能であり、その結果、順方向電圧がさらに減少し得る。
【０１０５】
本出願の一実施形態において、光源１４２の第１電極１１４０及び第２電極１１２０は、直接或いはパッドを介して基板１４１に実装されてもよい。
【０１０６】
例えば、光源１４２がパッドを介して基板１４１に実装される場合、光源１４２と基板１４１との間に配置された二つのパッドが提供されてもよく、二つのパッドのそれぞれは第１電極１１４０及び第２電極１１２０に接してもよい。例えば、パッドは、ソルダー又は共晶金属（Ｅｕｔｅｃｔｉｃ  Ｍｅｔａｌ）であってもよいが、これに限定されるものではない。例えば、共晶金属としてＡｕＳｎが使用可能である。
【０１０７】
他の例として、光源１４２が基板１４１に直接実装される場合、光源１４２の第１電極１１４０及び第２電極１１２０が基板１４１上の配線に直接ボンディングされてもよい。この場合、ボンディング物質は、導電性質を有する接着物質を含んでもよい。例えば、ボンディング物質は、銀（Ａｇ）、スズ（Ｓｎ）、及び銅（Ｃｕ）のうち少なくともいずれか一つの導電性材料を含んでもよい。但し、これは例示的なものであって、ボンディング物質は、導電性を有する多様な物質を含み得る。
【０１０８】
図１〜図１０を参照して説明したように、本出願の実施形態に係る脱臭モジュール１００は、洗濯機、ドラム洗濯機又は乾燥機の流路１０に設置されてもよく、光触媒反応を通じて効果的に脱臭動作を行うことができる。
【０１０９】
一方、図１〜図１０に示した脱臭モジュール１００の構造は例示的なものであって、本出願の技術的思想はこれに限定されない。例えば、本出願の技術的思想による脱臭モジュール１００は、多様に変更及び応用され、流路１０に設置されてもよい。以下では、本出願の多様な実施形態に係る脱臭モジュールの適用例及び応用例をさらに詳細に説明する。
【０１１０】
図１１は、本出願の他の実施形態に係る脱臭モジュール１００＿１を示す側面図で、図１２は、図１１の脱臭モジュール１００＿１が流路１０に設置された状態を示す断面図である。
【０１１１】
図１１及び図１２の脱臭モジュール１００＿１は、図１〜図１０の脱臭モジュール１００と類似している。よって、同一又は類似する構成要素は、同一又は類似する参照番号を用いて表記されており、重複する説明は、簡略な説明のために以下で省略する場合がある。
【０１１２】
図１１の脱臭モジュール１００＿１は、図１〜図１０の脱臭モジュール１００に比べてより大きい開口部１２１＿４ａを有するように形成される。また、図１１の脱臭モジュール１００＿１のリブ１２１＿５ａの長さＡは、図１〜図１０の脱臭モジュール１００のリブ１２１＿５に比べてより長い長さを有するように形成される。例えば、リブ１２１＿５ａの長さは、流路１０の内側面１２の直径の１／４以上、３／４以下であってもよい。
【０１１３】
この場合、図１２に示したように、脱臭モジュール１００＿１の光触媒フィルター１１０は流路１０の中央に位置してもよい。すなわち、図１に示した脱臭モジュール１００の光触媒フィルター１１０が流路１０の内側面１２に隣接するように位置する一方で、図１２に示した脱臭モジュール１００＿１の光触媒フィルター１１０は、流路１０の内側面１２から所定距離だけ離隔して位置する。
【０１１４】
このとき、脱臭モジュール１００＿１の各開口部１２１＿４ａが空気の移動通路を形成するので、流路１０内の空気は、光触媒フィルター１１０の両側面に接触しながら流れ得る。結局、流路１０内の空気が光触媒フィルター１１０と接触する面積が増加するので、脱臭効率が増加し得る。
【０１１５】
図１３は、本出願の他の実施形態に係る脱臭モジュール１００＿２を示す図である。具体的に、図１３ａは、放熱部材１６０を備えた脱臭モジュール１００＿２の一例を示す図で、図１３ｂは、放熱基板１４１＿１を備えた脱臭モジュール１００＿２の一例を示す図である。
【０１１６】
図１３の脱臭モジュール１００＿２は、図１〜図１０の脱臭モジュール１００と類似している。よって、同一又は類似する構成要素は、同一又は類似する参照番号を用いて表記されており、重複する説明は、簡略な説明のために以下で省略する場合がある。
【０１１７】
図１３の脱臭モジュール１００＿２は、図１〜図１０の脱臭モジュール１００に比べて、光源ユニット１４０で発生した熱を放出するための放熱構造をさらに備える。
【０１１８】
例えば、図１３ａに示したように、脱臭モジュール１００＿２は、光源ユニット１４０の熱を外部に放出する放熱部材１６０をさらに含んでもよい。放熱部材１６０は、例えば、導電性材料で形成された導電板であってもよく、光源ユニット１４０の熱を分散して外部に放出する役割をすることができる。
【０１１９】
他の例として、図１３ｂに示したように、脱臭モジュール１００＿２の光源ユニット１４０は放熱基板１４１＿１を備えてもよい。すなわち、脱臭モジュール１００＿２の各光源１４２は放熱基板１４１＿１上に実装されてもよい。
【０１２０】
放熱基板１４１＿１は、例えば、セラミック材質の上部絶縁基板１１及び下部絶縁基板１２を含んでもよい。上部絶縁基板１１と下部絶縁基板１２は上下に積層されてもよく、前記各絶縁基板の積層には接着物質が用いられてもよい。上部絶縁基板１１の上面には上部導電パターン１３が形成され、下部絶縁基板１２の下面には下部導電パターン１５が形成されてもよい。また、上部絶縁基板１１と下部絶縁基板１２との間には中間導電パターン１４が形成されてもよい。上部導電パターン１３、中間導電パターン１４及び下部導電パターン１５は、Ａｕ又はＡｇなどの金属を材質にして形成されてもよい。
【０１２１】
図１３に示したように、脱臭モジュール１００＿２が放熱構造をさらに備えることによって、光源ユニット１４０の作動による温度増加又は流路１０内の熱風による温度増加から光源ユニット１４０を保護することができる。
【０１２２】
図１４及び図１５は、本出願の他の実施形態に係る脱臭モジュール１００＿３、１００＿４を示す図である。具体的に、図１４は、反射板１７０を含む脱臭モジュール１００＿３の一実施形態を示す図で、図１５は、反射物質がコーティングされた流路ガイド１７０＿１を含む脱臭モジュール１００＿４の一実施形態を示す図である。
【０１２３】
図１４及び図１５の脱臭モジュール１００＿３、１００＿４は、図１〜図１０の脱臭モジュール１００と類似している。よって、同一又は類似する構成要素は、同一又は類似する参照番号を用いて表記されており、重複する説明は、簡略な説明のために以下で省略する場合がある。
【０１２４】
まず、図１４を参照すると、脱臭モジュール１００＿３は、光源ユニット１４０から出射された紫外線を反射するための反射板１７０をさらに含む。反射板１７０は、例えば、反射率が高い物質（例えば、ステンレス、アルミニウム、酸化マグネシウム、テフロン（登録商標）など）で形成されてもよい。他の例として、反射板１７０は、流路１０の内側面１２に反射率が高い物質をコーティングすることによって形成されてもよい。
【０１２５】
反射板１７０は、光源ユニット１４０から出射された紫外線を反射させて光触媒フィルター１１０に向かわせる。よって、紫外線が流路１０の内側面１２にぶつかって損失することを防止し、脱臭モジュール１００の脱臭効率を高めることができる。
【０１２６】
図１５を参照すると、脱臭モジュール１００＿４は、流路１０内の空気を光触媒フィルター１１０の方向に誘導する流路ガイド１７０＿１を備えており、前記流路ガイド１７０＿１の一方の面に反射物質がコーティングされてもよい。すなわち、図１５に示したように、流路ガイド１７０＿１は、光触媒フィルター１１０の方向に対して所定角度だけ傾斜して配置され、流路１０内の空気を光触媒フィルター１１０の方向に誘導し、光触媒フィルター１１０に向かい合う流路ガイド１７０＿１の一方の面には反射物質がコーティングされてもよい。この場合、流路ガイド１７０＿１は、光源ユニット１４０から出射された紫外線を反射させるだけでなく、流路１０内の空気を光触媒フィルター１１０の方向に誘導する。したがって、さらに多くの空気が光触媒フィルター１１０と接触することによって、脱臭モジュール１００＿４の脱臭効率が増加し得る。
【０１２７】
さらに、流路ガイド１７０＿１が図１５のように光触媒フィルター１１０の方向に対して所定角度だけ傾斜して配置された場合、空気が流入する開口部１２１＿５ｂの面積は、空気が吐出される開口部１２１＿５ｃの面積より大きく、その結果、光触媒フィルター１１０に誘導された空気が留まる時間が増加する。よって、空気と光触媒フィルター１１０の反応時間が増加し、脱臭モジュール１００＿４の脱臭効率がさらに増加し得る。
【０１２８】
一方、図１５において、脱臭モジュール１００＿４は、反射物質がコーティングされた流路ガイド１７０＿１を備えることを説明している。但し、これは例示的なものであって、本出願の技術的思想はこれに限定されない。例えば、脱臭モジュール１００＿４は、反射物質がコーティングされた流路ガイドの代わりに反射板を備えてもよく、この場合、反射板が流路ガイドとしての役割をすることもできる。
【０１２９】
図１６ａ〜図１６ｄは、本出願の他の実施形態に係る脱臭モジュール１００＿５〜１００＿８を示す図である。図１６ａ〜図１６ｄの脱臭モジュール１００＿５〜１００＿８は、図１〜図１０の脱臭モジュール１００と類似している。よって、同一又は類似する構成要素は、同一又は類似する参照番号を用いて表記されており、重複する説明は、簡略な説明のために以下で省略する場合がある。
【０１３０】
まず、図１６ａを参照すると、脱臭モジュール１００＿５は、光触媒フィルター１１０＿１を備えており、光触媒フィルター１１０＿１は、空気の流動方向に垂直に配置される。この場合、流路１０内の空気は、いずれも光触媒フィルター１１０＿１に形成された各貫通ホールを通過して流れ、その結果、光触媒フィルター１１０＿１と接触する空気の量が増加するという長所がある。
【０１３１】
図１６ｂを参照すると、脱臭モジュール１００＿６の光触媒フィルター１１０＿２は、空気の流動方向に対して所定角度だけ傾斜して配置されてもよい。例えば、光触媒フィルター１１０＿２の傾斜した角度は、光源ユニット１４０から出射される光の指向角を考慮して設定されてもよい。この場合、流路１０内の空気がいずれも光触媒フィルター１１０＿２を通過するだけでなく、光触媒フィルター１１０＿２に十分な量の光が照射され、脱臭モジュール１００＿６の脱臭効率が増加し得る。
【０１３２】
図１６ｃを参照すると、脱臭モジュール１００＿７の光触媒フィルター１１０＿３が空気の流動方向に対して所定角度だけ傾斜して配置され、光源ユニット１４０＿１は、光触媒フィルター１１０＿３に平行に配置されてもよい。この場合、光触媒フィルター１１０＿３にさらに多くの量の光が照射され、脱臭モジュール１００＿７の脱臭効率がさらに増加し得る。
【０１３３】
図１６ｄを参照すると、脱臭モジュール１００＿８は光触媒フィルター１１０＿４を備えており、光触媒フィルター１１０＿４は、その断面が半円状を有するように形成されてもよい。例えば、光触媒フィルター１１０＿４は、紙材質、ファブリック材質又は金属フォームを材質にし、その断面が半円状を有するように形成されてもよい。この場合、光触媒フィルター１１０＿１と接触する空気の量が増加し、脱臭モジュール１００＿８の脱臭効率が増加し得る。
【０１３４】
図１７は、本出願の実施形態に係る脱臭モジュール１００が洗濯機１０００に設置された一例を簡略に示す断面図である。
【０１３５】
図１７を参照すると、乾燥機能をサポートする洗濯機１０００が提供される。洗濯機１０００としては、説明の便宜上、ドラム洗濯機が例示的に示されている。但し、これは例示的なものであって、一般の洗濯機、乾燥機などが提供されてもよい。
【０１３６】
洗濯機１０００は、洗濯水が貯蔵されるタブ１１００と、タブ１１００の内側に回転可能に設置され、その内部に洗濯物が投入されるドラム１２００と、前記ドラム１２００を遮蔽するドア１３００と、前記ドラムを回転させる駆動モーター１４００と、前記ドラム１２００の内部に供給される空気を加熱する乾燥ヒーター１５００と、前記乾燥ヒーター１５００によって加熱された熱風をドラム１２００の内部に供給する流路１０と、前記乾燥ヒーター１５００によって加熱された熱風をドラム１２００の内部に強制的に送風する送風ファン１６００と、洗濯水を外部に導出する洗濯水吐出部１７００とを含む。流路１０の熱風吐出口１０ａはドラム１２００の前方に位置し、流路１０の湿り空気回収口１０ｂはドラム１２００の後方に位置する。
【０１３７】
本出願の実施形態に係る脱臭モジュール１００は流路１０に設置される。この場合、脱臭モジュール１００は、洗濯水が光源ユニット１４０に侵入することを防止するために、少なくとも洗濯水吐出部１７００より高い位置に設置されることが好ましい。
【０１３８】
また、脱臭モジュール１００は、図１７に示したように、乾燥ヒーター１５００の後方に設置されてもよいが、これに限定されるのではない。他の例として、脱臭モジュール１００は、乾燥ヒーター１５００の前方に設置されてもよい。このように、脱臭モジュール１００を、乾燥機能をサポートする洗濯機１０００の流路１０内に設置することによって、洗濯及び乾燥した衣類に対して脱臭動作を行うことができる。
【０１３９】
図１８は、本出願の実施形態に係る脱臭モジュール１００の効果を示す実験結果である。
【０１４０】
まず、図１８に示したように、本出願の実施形態に係る脱臭モジュール１００を備えたときに脱臭効果が増加することを確認することができる。
【０１４１】
一方、乾燥ヒーター１５００と脱臭モジュール１００を同時に駆動したときに脱臭効率が最も良いことを確認することができる。よって、脱臭モジュール１００と乾燥ヒーター１５００が同時に駆動するように洗濯機１０００を制御することが好ましい。
【０１４２】
但し、この場合、熱風によって脱臭モジュール１００の光源ユニット１４０が損傷するおそれがある。よって、脱臭モジュール１００が追加的な放熱構造（図１３ａ及び図１３ｂを参照）を備えるときにのみ、脱臭モジュール１００と乾燥ヒーター１５００を同時に駆動するように洗濯機１０００を制御することもできる。すなわち、例えば、脱臭モジュール１００が追加的な放熱構造を備えていない場合、乾燥ヒーター１５００による乾燥動作が行われた後で脱臭モジュール１００による脱臭動作が行われるように洗濯機１０００を制御することもできる。
【０１４３】
以上のように、本発明に対して例示した図面を参照して説明したが、本明細書に開示した実施例及び図面によって本発明が限定されることはなく、本発明の技術思想の範囲内で通常の技術者によって多様な変形が可能であることは自明である。併せて、上述した本発明の実施形態を説明しながら本発明の構成による作用効果を明示的に記載して説明していないとしても、該当の構成によって予測可能な効果も認められるべきであることは当然である。
【図１】
2021511136.tif 000003
【図２】
2021511136.tif 000004
【図３】
2021511136.tif 000005
【図４】
2021511136.tif 000006
【図５】
2021511136.tif 000007
【図６ａ】
2021511136.tif 000008
【図６ｂ】
2021511136.tif 000009
【図６ｃ】
2021511136.tif 000010
【図７】
2021511136.tif 000011
【図８】
2021511136.tif 000012
【図９】
2021511136.tif 000013
【図１０ａ】
2021511136.tif 000014
【図１０ｂ】
2021511136.tif 000015
【図１１】
2021511136.tif 000016
【図１２】
2021511136.tif 000017
【図１３ａ】
2021511136.tif 000018
【図１３ｂ】
2021511136.tif 000019
【図１４】
2021511136.tif 000020
【図１５】
2021511136.tif 000021
【図１６ａ】
2021511136.tif 000022
【図１６ｂ】
2021511136.tif 000023
【図１６ｃ】
2021511136.tif 000024
【図１６ｄ】
2021511136.tif 000025
【図１７】
2021511136.tif 000026
【図１８】
2021511136.tif 000027
【国際調査報告】
2021511136.tif 000028
2021511136.tif 000029
2021511136.tif 000030
2021511136.tif 000031